(57)【要約】      （修正有）【課題】台紙から容器を容易に解放できる展示包装容器を提供する。【解決手段】台紙基板１に、容器５の容器開口の周囲に設けた鍔部を上から押さえる形で覆って容器取付枠台紙２を固着してなる展示包装容器において、台紙基板１に鍔部の外周縁に位置して鍔部切込線を設けると共に、容器取付枠台紙２に台紙外周縁部１５から鍔部を押さえる鍔押え枠部１２を横断して枠部切込線９を設け、更に、台紙基板１に枠部切込線９に一致する共通切込線を設けてなる展示包装容器。【選択図】図１
0003117658.tif 000002
【実用新案登録請求の範囲】
【請求項１】
台紙基板に内容物を収容した容器の容器開口を密着させ、容器開口の周囲に設けた鍔部を上から押さえる形で容器開口の周囲を覆って台紙基板に容器取付枠台紙を固着してなる展示包装容器において、台紙基板に鍔部の外周縁に位置して鍔部切込線を設けると共に、容器取付枠台紙に台紙外周縁部から鍔部を押さえる鍔押え枠部を横断して枠部引き破り用の枠部切込線を設け、更に、台紙基板に台紙外周縁部から鍔部切込線にかけて枠部切込線に一致する共通切込線を設けてなる展示包装容器。
【請求項２】
請求項１に記載の展示包装容器において、鍔部切込線を鍔部の一部の外周縁に位置して設けなる展示包装容器。
【請求項３】
請求項１又は２に記載の展示包装容器において、鍔部切込線に枠部切込線より長い切込部を有する切込線を設けてなる展示包装容器。
【請求項４】
請求項１、２又は３に記載の展示包装容器において、鍔部切込線を台紙外周縁に連続するように設けなる展示包装容器。
【請求項５】
請求項４に記載の展示包装容器において、鍔部切込線の先端部を共通切込線として設けてなる展示包装容器。
【請求項６】
請求項４に記載の展示包装容器において、鍔部切込線の後端部を台紙外周縁に連続するように設けてなる展示包装容器。
【請求項７】
請求項１乃至６のいずれかに記載の展示包装容器において、鍔部切込線と共通切込線の台紙外周縁部に開け切り口を設けてなる展示包装容器。
【請求項８】
請求項１乃至７のいずれかに記載の展示包装容器において、台紙基板と容器を起立状態に展示するように設け、鍔部切込線及び枠部切込線を容器の両側に設けてなる展示包装容器。
【請求項９】
請求項８に記載の展示包装容器において、台紙基板の上端部に吊下部を設けてなる展示包装容器。
【請求項１０】
請求項８又は９に記載の展示包装容器において、起立状態の容器の底部に起立用脚部を設けてなる展示包装容器。
【請求項１１】
請求項１乃至１０のいずれかに記載の展示包装容器において、容器に内容物を視認可能な透明部分を設けてなる展示包装容器。
【請求項１２】
請求項１１に記載の展示包装容器において、容器内に中枠を設けてなる展示包装容器。
【請求項１３】
請求項１２に記載の展示包装容器において、中枠が背板部と両側枠と底板部とからなる展示包装容器。
【請求項１４】
請求項１３に記載の展示包装容器において、中枠と台紙基板との間に弾性変形可能なスペーサを設けてなる展示包装容器。
【請求項１５】
請求項１４に記載の展示包装容器において、スペーサを背板部から切り欠いて両側枠部と一体に起立して設けてなる展示包装容器。
【請求項１６】
請求項１乃至１５のいずれかに記載の展示包装容器において、同一形状の台紙基板と容器取付枠台紙とを折り畳み線を中心に展開した状態で成形し、台紙基板と容器取付枠台紙の表面全体に互いにのみ接着する接着剤を塗布しておき、先ず、台紙基板に容器取付枠台紙の中央に切込線で切り離し可能に設けた折り畳み台紙を折り畳み、台紙基板上に接着した後、内容物を入れる透明な容器を被せて容器の内周が先の折り畳み台紙の外周に合致するようにすると共に、容器の外周の鍔部の外周部が台紙基板に設けた鍔部切込線の内側に位置するようにし、次いで、容器取付枠台紙を台紙基板上に折り畳み、先の容器の鍔部を挟み込む形で残余の外周重なり部分を互いの接着剤により密着させて形成してなる展示包装容器。
【考案の詳細な説明】
【技術分野】
【０００１】
本考案は、台紙基板に内容物を収容した透明な合成樹脂製容器を固着させ、内容物を消費者に見易く展示することができる展示包装容器に関する。
【背景技術】
【０００２】
従来、この種の展示包装容器では、流通経路や展示販売中に台紙と容器とが輸送や落下の衝撃により分離してはならないから、台紙と容器と容器取付枠台紙は強固に固着した状態に設けてあった。
【考案の開示】
【考案が解決しようとする課題】
【０００３】
そのため、台紙から容器を開放するのが困難で、容易に開けることができない課題があった。
また、台紙と容器を熱圧着した場合には、紙と合成樹脂との付着部分の分別処理が難しく、リサイクルを容易に行えない課題があった。
【課題を解決するための手段】
【０００４】
そこで本考案は、請求項１に記載のように、台紙基板に内容物を収容した容器の容器開口を密着させ、容器開口の周囲に設けた鍔部を上から押さえる形で容器開口の周囲を覆って台紙基板に容器取付枠台紙を固着してなる展示包装容器において、台紙基板に鍔部の外周縁に位置して鍔部切込線を設けると共に、容器取付枠台紙に台紙外周縁部から鍔部を押さえる鍔押え枠部を横断して枠部引き破り用の枠部切込線を設け、更に、台紙基板に台紙外周縁部から鍔部切込線にかけて枠部切込線に一致する共通切込線を設けてなる展示包装容器を提供するものである。
【０００５】
また、本考案は、請求項２に記載のように、請求項１に記載の展示包装容器において、鍔部切込線を鍔部の一部の外周縁に位置して設けてなる展示包装容器を提供するものである。
また、本考案は、請求項３に記載のように、請求項１又は２に記載の展示包装容器において、鍔部切込線に枠部切込線より長い切込部を有する切込線を設けてなる展示包装容器を提供するものである。
【０００６】
また、本考案は、請求項４に記載のように、請求項１、２又は３に記載の展示包装容器において、鍔部切込線を台紙外周縁に連続するように設けなる展示包装容器を提供するものである。
また、本考案は、請求項５に記載のように、請求項４に記載の展示包装容器において、鍔部切込線の先端部を共通切込線として設けてなる展示包装容器を提供するものである。
【０００７】
また、本考案は、請求項６に記載のように、請求項４に記載の展示包装容器において、鍔部切込線の後端部を台紙外周縁に連続するように設けてなる展示包装容器を提供するものである。
また、本考案は、請求項７に記載のように、請求項１乃至６のいずれかに記載の展示包装容器において、枠部切込線と共通切込線の台紙外周縁部に開け切り口を設けてなる展示包装容器を提供するものである。
【０００８】
また、本考案は、請求項８に記載のように、請求項１乃至７のいずれかに記載の展示包装容器において、台紙基板と容器を起立状態に展示するように設け、鍔部切込線及び枠部切込線を容器の両側に設けてなる展示包装容器を提供するものである。
また、本考案は、請求項９に記載のように、請求項８に記載の展示包装容器において、台紙基板の上端部に吊下部を設けてなる展示包装容器を提供するものである。
【０００９】
また、本考案は、請求項１０に記載のように、請求項８又は９に記載の展示包装容器において、起立状態の容器の底部に起立用脚部を設けてなる展示包装容器を提供するものである。
また、本考案は、請求項１１に記載のように、請求項１乃至１０のいずれかに記載の展示包装容器において、容器に内容物を視認可能な透明部分を設けてなる展示包装容器を提供するものである。
【００１０】
また、本考案は、請求項１２に記載のように、請求項１１に記載の展示包装容器において、容器内に中枠を設けてなる展示包装容器を提供するものである。
また、本考案は、請求項１３に記載のように、請求項１２に記載の展示包装容器において、中枠が背板部と両側枠部と底板部とからなる展示包装容器を提供するものである。
【００１１】
また、本考案は、請求項１４に記載のように、請求項１３に記載の展示包装容器において、中枠と台紙基板との間に弾性変形可能なスペーサを設けてなる展示包装容器を提供するものである。
また、本考案は、請求項１５に記載のように、請求項１４に記載の展示包装容器において、スペーサを背板部から切り欠いて両側枠と一体に起立して設けてなる展示包装容器を提供するものである。
【００１２】
また、本考案は、請求項１６に記載のように、請求項１乃至１５のいずれかに記載の展示包装容器において、同一形状の台紙基板と容器取付枠台紙とを折り畳み線を中心に展開した状態で成形し、台紙基板と容器取付枠台紙の表面全体に互いにのみ接着する接着剤を塗布しておき、先ず、台紙基板に容器取付枠台紙の中央に切込線で切り離し可能に設けた折り畳み台紙を折り畳み、台紙基板上に接着した後、内容物を入れる透明な容器を被せて容器の内周が先の折り畳み台紙の外周に合致するようにすると共に、容器の外周の鍔部の外周部が台紙基板に設けた鍔部切込線の内側に位置するようにし、次いで、容器取付枠台紙を台紙基板上に折り畳み、先の容器の鍔部を挟み込む形で残余の外周重なり部分を互いの接着剤により密着させて形成してなる展示包装容器を提供するものである。
【考案の効果】
【００１３】
本考案に係る展示包装容器によれば、請求項１に記載のように、台紙基板に内容物を収容した容器の容器開口を密着させ、容器開口の周囲に設けた鍔部を上から押さえる形で容器開口の周囲を覆って台紙基板に容器取付枠台紙を接着してなる展示包装容器において、台紙基板に鍔部の外周縁に位置して鍔部切込線を設けると共に、容器取付枠台紙に台紙外周縁部から鍔部を押さえる鍔押え枠部を横断して該枠部引き破り用の枠部切込線を設け、更に、台紙基板に台紙外周縁部から鍔部切込線にかけて枠部切込線に一致する共通切込線を設けてなる構成を有することにより、容器取付枠台紙の台紙外周縁部から枠部切込線を切り開くと、同時に、容器取付台紙の裏側に接着された台紙基板の共通切込線が切り開かれ、引き続き鍔部を押さえる鍔押え枠部と共に鍔部切込線が切り開かれ、鍔押え枠部と共に鍔部切込線の外側の台紙基板が除去され、容器開口の鍔部が残された台紙基板上に露出し、台紙基板から容器を容易に確実に分離し開放することができる効果がある。
【００１４】
また、本考案は、請求項２に記載のように、請求項１に記載の展示包装容器において、鍔部切込線を鍔部の一部の外周縁に位置して設けてなる構成を有することにより、鍔部切込線によって鍔部の一部を開放するだけで容器を開口することができる効果がある。
【００１５】
また、本考案は、請求項３に記載のように、請求項１又は２に記載の展示包装容器において、鍔部切込線として枠部切込線より長い切込部を有する切込線を設けてなる構成を有することにより、鍔部切込線を枠部切込線より容易に切り開くことができるから、枠部切込線を切り開いた後の台紙基板と鍔押え枠部の除去を容易にする効果がある。
【００１６】
また、本考案は、請求項４に記載のように、請求項１、２又は３に記載の展示包装容器において、鍔部切込線を台紙外周縁に連続するように設けなる構成を有することにより、鍔部切込線に沿って切り開くことによって鍔部外側の台紙基板を容易に除去することができる効果がある。
【００１７】
また、本考案は、請求項５に記載のように、請求項４に記載の展示包装容器において、鍔部切込線の先端部を共通切込線として設けてなる構成を有することにより、鍔部切込線と共通切込線とを円滑に連続する一連の鍔部切込線として設けることができる効果がある。
【００１８】
また、本考案は、請求項６に記載のように、請求項４に記載の展示包装容器において、鍔部切込線の後端部を台紙外周縁に連続するように設けてなる構成を有することにより、鍔部切込線の後端部を切り開くことによって鍔部外側の台紙基板を容易に除去することができる効果がある。
【００１９】
また、本考案は、請求項７に記載のように、請求項１乃至６のいずれかに記載の展示包装容器において、枠部切込線と共通切込線の台紙外周縁部に開け切り口を設けてなる構成を有することにより、明け切り口から枠部切込線と共通切込線を容易に切り開くことができる効果がある。
【００２０】
また、本考案は、請求項８に記載のように、請求項１乃至７のいずれかに記載の展示包装容器において、台紙基板と容器を起立状態に展示するように設け、鍔部切込線及び枠部切込線を容器の両側に設けてなる構成を有することにより、展示包装容器を起立状態で狭いスペースで展示することができると共に、鍔部切込線及び枠部切込線を容器の両側から容易に切り開くことができる効果がある。
【００２１】
また、本考案は、請求項９に記載のように、請求項８に記載の展示包装容器において、台紙基板の上端部に吊下部を設けてなる構成を有することにより、展示包装容器を吊り下げて展示することができる効果がある。
【００２２】
また、本考案は、請求項１０に記載のように、請求項８又は９に記載の展示包装容器において、起立状態の容器の底部に起立用脚部を設けてなる構成を有することにより、展示包装容器を起立用脚部により起立状態で展示することができる効果がある。
【００２３】
また、本考案は、請求項１１に記載のように、請求項１乃至１０のいずれかに記載の展示包装容器において、容器に内容物を視認可能な透明部分を設けてなる構成を有することにより、透明部分から容器の内容物を視認することができる効果がある。
【００２４】
また、本考案は、請求項１２に記載のように、請求項１１に記載の展示包装容器において、容器内に展示用の中枠を設けてなる構成を有することにより、容器を中枠によって補強し内容物を保護することができると共に、中枠に文字、図形等からなる商品表示、品質説明や使用方法等を表記することができる効果がある。
【００２５】
また、本考案は、請求項１３に記載のように、請求項１２に記載の展示包装容器において、中枠が背板部と両側枠部と底板部からなる構成を有することにより、内容物を簡単な構造の中枠によって保護することができるのみならず、中枠の外側に文字、図形等からなる商品表示、品質説明や使用方法等を表記することができると共に、中枠に天板部がないことにより内容物を上から見易くする効果がある。
【００２６】
また、本考案は、請求項１４に記載のように、請求項１２又は１３に記載の展示包装容器において、中枠と台紙基板との間に弾性変形可能なスペーサを設けてなる構成を有することにより、台紙基板から中枠を浮き上がらせて中枠を容器内側に密着させ衝撃に対して弾性的に対応し、補強性を高めると共に、内容物を見易く展示することができる効果がある。
【００２７】
また、本考案は、請求項１５に記載のように、請求項１４に記載の展示包装容器において、スペーサを中枠の背板部から切り欠いて両側板部と一体に起立して設けてなる構成を有することにより、スペーサを中枠から容易に形成することができると共に、両側枠と一体に中枠を安定して容器内に維持することができる効果がある。
【００２８】
また、本考案は、請求項１６に記載のように、請求項１乃至１５のいずれかに記載の展示包装容器において、同一形状の台紙基板と容器取付枠台紙とを折り畳み線を中心に展開した状態で成形し、台紙基板と容器取付枠台紙の表面全体に互いにのみ接着する接着剤を塗布し、先ず、台紙基板に容器取付枠台紙の中央に切込線で切り離し可能に設けた折り畳み台紙を折り畳み、台紙基板上に接着した後、内容物を入れる透明な容器を被せて容器開口の内周が先の折り畳み台紙の外周に合致するようにすると共に、容器開口の外周の鍔部の外周部が台紙基板に設けた鍔部切込線の内側に位置するようにし、次いで、容器取付枠台紙を台紙基板上に折り畳み、先の容器の鍔部を挟み込む形で残余の外周重なり部分を互いの接着剤により密着させて形成してなる構成を有することにより、展示包装容器を容易に製作することができる効果がある。
【考案を実施するための最良の形態】
【００２９】
図５の展開図において、折り畳み線１ａを境に同一形状に成形した台紙基板１と容器取付枠台紙２の表面全体に互いにのみ接着する特殊な接着剤を塗布し、先ず、台紙基板１に、容器取付枠台紙２の中央に切込線３ｂで切り離し可能に設けた折り畳み台紙３を、折り畳み線１ａを境に折り畳み、台紙基板１上に接着した後、内容物を入れる中枠４を収容する形で、合成樹脂製の透明な容器５を被せて、容器５の開口内周縁１４が先の折り畳み台紙３の外周に合致するようにすると共に、容器５の外周の鍔部６の外周縁部７が台紙基板１の両側に設けた鍔部切込線８の内側に位置するようにする。
【００３０】
次いで、容器取付枠台紙２を折り畳み線１ａを境に台紙基板１上に折り畳み、先の容器５の鍔部６を鍔押え枠部１２で挟み込む形で残余の外周重なり部分を鍔部切込線８の外側に位置する切取枠部１１に互いの接着剤により密着させ、図１の正面図、図２の背面図、図３の正面図中央縦断面図、図４の正面図Ａ−Ａ線断面図に記載した本考案に係る展示包装容器の一実施例が形成されることとなる。
【００３１】
上記実施例は本考案に係る展示用包装容器の一例を示すもので、要は、台紙基板１と容器取付枠台紙２とがその間に容器５の鍔部６を挟む形で固着しており、容器取付枠台紙２を鍔部６上から除去し開放することにより、台紙基板１から容器５を取り外すことができる構成であれば、本考案の適用は可能である。
【００３２】
容器取付枠台紙２には、台紙外周縁部１５から鍔部６を押さえる鍔押え枠部１２を横断して該枠部引き破り用の枠部切込線９が設けてあると共に、台紙基板１には、台紙外周縁部１５から鍔部切込線８にかけて前記枠部切込線９に一致する共通切込線１０を設けある。この共通切込線１０部分において鍔部押え枠部１２と切取枠部１１とは一体に接着しているから、図１において、枠部切取線９の切取端部１６を手前に引くと、共通切込線１０の切取端部１７も一体に切り開かれ、以後、一体に接着している鍔部押え枠部１２と切取枠部１１は鍔部切込線８に沿って切り取られていくこととなり、容器開口の鍔部６が残された中央の台紙基板１上に露出し、台紙基板１から容器５を容易に開放することができる。
【００３３】
また、本考案は、前記展示包装容器において、鍔部切込線８を鍔部６の一部の外周縁に位置して設けてあるが、鍔部６が台紙基板１及び鍔押え枠部１２に固着していない限りにおいて、鍔部切込線８によって鍔部６の一部を開放すれば、残余の鍔押え枠部１２から容器５を鍔部６ごと分離するのは容易であり、また、容器１を容易に開口することができる。
また、鍔部切込線８として枠部切込線９より長い、くの字状やＹ字状の切込部を有する切込線を設けることによって、鍔部切込線８を枠部切込線９より容易に切り開くことができるから、枠部切込線９を共通切込線１０を伴って切り開いた後の台紙基板１と鍔押え枠部１２の除去を容易に迅速にすることができる。
【００３４】
また、鍔部切込線８を台紙外周縁１５に連続するように設けることによって、鍔部切込線８に沿って切り開くことによって鍔部外側の切取枠部１１を容易に除去することができる。
また、鍔部切込線８の先端部を共通切込線１０として設ける構成にすることにより、鍔部切込線８と共通切込線１０とを円滑に連続する一連の鍔部切込線８として設けることができる。
【００３５】
また、鍔部切込線８の後端部１８を台紙外周縁１５に連続するように設けることにより、鍔部切込線８を後端部１８まで切り開くことによって鍔部６外側の切取枠部１１を鍔押え枠部１２と共に容易に切り取って除去することができる。
また、本考案は、枠部切込線９と共通切込線１０の台紙外周縁部に開け切り口１９を設けてなる構成を有することにより、開け切り口１９から枠部切込線９と共通切込線１０を容易に切り開くことができる。
【００３６】
また、本考案の展示包装容器は、台紙基板１と容器５を起立状態に展示するように設けてあり、鍔部切込線８及び枠部切込線９を容器５の両側に設けてなる構成にすることにより、展示包装容器を起立状態で狭いスペースで展示することができると共に、鍔部切込線８及び枠部切込線９を容器の両側から容易に切り開くことができる。
実施例の場合、台紙基板１の上端部に吊下孔２５を設けて、展示包装容器を吊り下げて展示することができると共に、起立状態の容器５の底部に起立用脚部２６を一体に設けて、展示包装容器を起立用脚部２６により起立状態で展示することができるように構成してある。
【００３７】
なお、図３及び４において、容器取付枠台紙２に段差部１３があるかのように記載してあるが、容器５の鍔部６の存在を表すため実際より肉厚を厚く記載したために生じたもので実際には図１の正面図に記載のように図に現れないものである。
【００３８】
また、中枠４は、図６の展開図において、台紙基板１に対面する背板部２１に対して両側枠部２２及び底板部２３を折曲線４ａから立ち上げると共に、両側枠部２２と共に切込線４ｂによりスペーサ２４を一体に立ち上げ、図７のように成形したもので、台紙基板１に対してスペーサ２４で背板部２１を弾性的に浮き上がらせると共に、両側枠部２２と底枠部２３により柔軟な容器５の両側壁部と底壁部を型崩れ若しくは潰れないように弾性的に補強し、内容物を保護した形で展示可能に収容するものである。
【００３９】
また、台枠部２１、両側枠部２２と底枠部２３の内面、及び両側枠部２２と底枠部２３の外面には、収容物にふさわしい色彩や文字、図形、説明文を表すことができるものである。２７は容器５内から中枠４を引き出すための取手孔である。また、図１又は図５において、２０はスペーサ２４の切り欠き後の切欠孔である。
【図面の簡単な説明】
【００４０】
【図１】本考案の一実施例の正面図。
【図２】その背面図。
【図３】その正面図中央縦断面図。
【図４】正面図Ａ−Ａ線断面図。
【図５】分解展開説明図。
【図６】その要部の展開図。
【図７】その要部の側面図。
【符号の説明】
【００４１】
１      台紙基板
２      容器取付枠台紙
３      折り畳み台紙
４      中枠
５      容器
６      鍔部
７      外周縁
８      鍔部切込線
９      枠部切込線
１０    共通切込線
１１    切取枠部
１２    鍔押え枠部
１３    段差部
１４    容器開口
１５    台紙外周縁部
１６、１７    切取端部
１８    後端部
１９    開け切り口
２０    切欠孔
２１    背板部
２２    両側枠部
２３    底板部
２４    スペーサ
２５    吊下孔
２６    起立用脚部
２７    取手孔
【図１】
0003117658.tif 000003
【図２】
0003117658.tif 000004
【図３】
0003117658.tif 000005
【図４】
0003117658.tif 000006
【図５】
0003117658.tif 000007
【図６】
0003117658.tif 000008
【図７】
0003117658.tif 000009